(57)【要約】【課題】被接続導体の接続作業の作業性を向上させるとともに組立の手間を簡単にした端子装置を提供する。【解決手段】ボディ２およびカバー３からなる器体には、端子ねじ２０と、端子ねじ２０が貫通孔に遊嵌された状態で取着される座金部２３を備えた座金部材２２と、端子ねじ２０が螺合するねじ孔１５が形成された中央片１２を備えた端子板１１とが納装されている。座金部材２２の座金部２３には、先端が中央片１２に設けた挿通孔１６に挿通される軸部２６が一体に形成され、この軸部２６にコイルばね２１を挿入して座金部２３を上側に付勢するとともに、座金部２３の左右両側縁に突設したガイド突起２７と係合するガイド溝をカバー３の内側に設け、ガイド突起２７がガイド溝の上端に当接することによって、座金部２３が中央片１２から軸部２６の全長以上離れるのを規制している。【選択図】図１
2005243311.tif 000002
【特許請求の範囲】
【請求項１】
端子ねじと、当該端子ねじを貫通孔に遊嵌させた状態で取着する座金と、前記端子ねじが螺合するねじ部が設けられた端子板とを器体に取り付け、先端が前記端子板に設けた挿通孔に挿通される軸部を前記座金と一体的に形成し、当該軸部にコイルばねを挿入して前記座金を前記端子板から遠ざかる方向に付勢するとともに、前記座金の移動範囲を前記軸部が前記挿通孔から抜けない範囲に規制する規制手段を前記器体に設けたことを特徴とする端子装置。
【請求項２】
前記器体の内面に、前記座金に設けた係合部と係合する被係合部を、前記座金の移動方向に沿って前記座金の移動範囲の端まで形成し、当該被係合部で前記規制手段を構成したことを特徴とする請求項１記載の端子装置。
【発明の詳細な説明】
【技術分野】
【０００１】
本発明は、端子装置に関するものである。
【背景技術】
【０００２】
図１０（ａ）（ｂ）は従来の端子装置を適用した電気機器を示しており、この端子装置は電気機器の器体１００に取着された端子板１０１と、厚み方向に貫通する貫通孔（図示せず）が形成された座金１０２と、座金１０２の貫通孔に遊嵌されて端子板１０１のねじ孔（図示せず）に螺合する端子ねじ１０３とで構成される。この端子装置に被接続導体を接続する際には、端子ねじ１０３を緩めて座金１０２と端子板１０１との間に隙間を設けた状態で、座金１０２と端子板１０１との間に被接続導体を挿入し、端子ねじ１０３を締め付けることで被接続導体を端子板１０１に電気的且つ機械的に接続するようになっている。
【０００３】
ところで、この端子装置では、被接続導体を接続するために端子ねじ１０３を緩めすぎてしまうと、端子ねじ１０３が脱落してしまい、端子ねじ１０３を紛失してしまう虞があった。また端子ねじ１０３が端子板１０１に螺合している状態では、端子板１０１と座金１０２との間の隙間が狭いため、この隙間に被接続導体を挿入し難く、接続作業の作業性が悪かった。
【０００４】
そこで、例えば特許文献１に示されるように、コ字形に形成された座金の上側の横片に端子ねじを遊嵌するとともに、上側の横片と下側の横片との間に端子板が挿入されるように座金を配置し、さらに下側の横片にコイルばねの上端を当接させて、座金を上側に付勢した端子装置も提供されている。この端子装置では、端子ねじを緩めて端子板から外すと、座金がコイルばねの付勢力を受けて上側に移動することで、座金と端子板との間に大きな隙間を開けることができ、また座金の下側の横片が端子板と当接することで、座金および座金に遊嵌された端子ねじが脱落するのを防止するようになっている。
【特許文献１】特開昭６０−１１２２６８号公報
【発明の開示】
【発明が解決しようとする課題】
【０００５】
上述した特許文献１に示される端子装置を組み立てる際には、端子板を器体に固定するとともに、座金の上下の横片の間に端子板が介装されるように座金を配置した後、座金の下側の横片と器体の底壁との間にコイルばねを組み込んでいるが、コイルばねを圧縮した状態で座金の横片と底壁との間に組み込んでいるため、コイルばねの組立作業がやりにくいという問題があった。
【０００６】
本発明は上記問題点に鑑みて為されたものであり、その目的とするところは、被接続導体の接続作業の作業性を向上させるとともに組立の手間を簡単にした端子装置を提供することにある。
【課題を解決するための手段】
【０００７】
上記目的を達成するために、請求項１の発明は、端子ねじと、当該端子ねじを貫通孔に遊嵌させた状態で取着する座金と、端子ねじが螺合するねじ部が設けられた端子板とを器体に取り付け、先端が端子板に設けた挿通孔に挿通される軸部を座金と一体的に形成し、当該軸部にコイルばねを挿入して座金を端子板から遠ざかる方向に付勢するとともに、座金の移動範囲を軸部が挿通孔から抜けない範囲に規制する規制手段を器体に設けたことを特徴とする。
【０００８】
請求項２の発明は、請求項１の発明において、器体の内面に、座金に設けた係合部と係合する被係合部を、座金の移動方向に沿って座金の移動範囲の端まで形成し、当該被係合部で規制手段を構成したことを特徴とする。
【発明の効果】
【０００９】
請求項１の発明によれば、座金と一体的に設けた軸部にコイルばねを挿通し、この軸部を端子板の挿通孔に挿通することによって、端子ねじが取着された座金をコイルばねにより端子板から遠ざかる方向に付勢しているので、端子ねじを緩めて端子板から外すと、コイルばねのばね力によって座金を端子板から浮き上がらせることができ、座金と端子板との間に被接続導体を挿入する作業を容易に行えるという効果がある。しかもコイルばねが挿通された軸部を端子板の挿通孔に挿入するだけで端子装置の組立が行えるから、端子装置の組立作業を容易に行えるという効果がある。さらに器体には、座金の移動範囲を軸部が挿通孔から抜けない範囲に規制する規制手段が設けられているので、軸部が挿通孔から抜けて座金が脱落してしまうのを防止できるという効果もある。
【００１０】
請求項２の発明によれば、器体の内面には、座金の係合部と係合する被係合部が座金の移動方向に沿って形成されているので、座金の係合部と器体の被係合部とを係合させることで座金をガイドすることができる。しかも器体に設けた被係合部は、座金の移動方向に沿って座金の移動範囲の端まで形成されているので、座金の移動に伴って、座金の係合部が被係合部の端まで来ると、座金の係合部と被係合部との係合によって座金の移動範囲が規制されるから、座金および端子ねじの脱落を防止することができる。
【発明を実施するための最良の形態】
【００１１】
以下では、本発明に係る端子装置を遠隔監視制御システムの伝送ユニットに適用した実施形態について説明を行う。なお以下の説明では特に断りがないかぎり、図３における矢印ａ−ｂを上下、矢印ｃ−ｄを左右、矢印ｅ−ｆを前後の方向として説明を行う。
【００１２】
遠隔監視制御システムの伝送ユニットには、２線式の信号線を介して負荷を制御する制御用端末器やスイッチの状態を監視する監視用端末器が接続されており、各端末器に個別に割り付けられた固有アドレスを用いて各端末器を識別し、固有アドレスを含む伝送信号を用いて各端末器との間で多重伝送方式により通信を行うようになっている。そして監視用端末器がスイッチの操作に応じて割込信号を発生すると、伝送ユニットは割込信号を発生した監視用端末器のアドレスを取得し、この監視用端末器とアドレスによって対応関係が予め設定されている制御用端末器に対して制御データを伝送し、この制御データを受け取った制御用端末器が負荷を制御するようになっている。
【００１３】
図１は伝送ユニットの上側から見た分解斜視図、図２は伝送ユニットの下側から見た分解斜視図、図３は伝送ユニットの外観斜視図であり、伝送ユニットＡの器体１は、上面が開口した直方体状の樹脂成型品からなるボディ２と、下面が開口した直方体状の樹脂成型品からなるカバー３とで構成される。ボディ２の底壁２ａには左右両側部の前後方向中間部からボス４，４がそれぞれ立設され、各々のボス４にはボディ２を上下方向に貫通する貫通孔４ａが貫設されている。一方、カバー３の上側壁３ａの裏面側からはボス４，４に対向する位置にボス５，５が立設され、各々のボス５，５にはねじ穴５ａ，５ａが形成されている。而してボディ２とカバー３とを結合する際には、ボディ２の開口を塞ぐようにしてボディ２の上側にカバー３を被着した後、ボディ２の下面側から貫通孔４ａ，４ａ内に挿通した固定ねじ６，６をカバー３のねじ穴５ａ，５ａに螺合することによって、ボディ２とカバー３とが結合されるのである。
【００１４】
器体１の内部には、伝送ユニットＡの機能を実現するための回路部品（図示せず）が実装された矩形板状の回路基板１０が納装されている。この回路基板１０はボディ２の開口縁に形成された段部（図示せず）に載置した状態でボディ２内部に配置されており、ボディ２内に回路基板１０を配置した状態でボディ２にカバー３を被着すると、カバー３の上側壁３ａ裏面に形成した後述の隔壁３３ａ，３３ｂおよび横壁３４の下側端が回路基板１０に当接して、回路基板１０の上下方向の位置が位置決めされるようになっている。なお回路基板１０の前後方向および左右方向の位置は、回路基板１０の四方の縁が器体１の内面と当接することで位置決めされるようになっている。
【００１５】
また器体１の内部には、上述した２線式の信号線や電源線を接続するための複数組（本実施形態では例えば５組）の端子装置が収納されており、各々の端子装置は端子板１１と端子ねじ２０とコイルばね２１と座金部材２２とで構成されている。
【００１６】
本実施形態では上述した回路基板１０の前側縁の左端部に２個の端子板１１を左右に並べて実装するとともに、後側縁の右端部に３個の端子板１１を左右に並べて実装してある。各端子板１１は帯状の導電板をコ字形に折曲することによって、中央片１２の長手方向における両側縁から一方向（下側）に脚片１３，１４が突出するような形状に形成されている。そして中央片１２には長手方向における一端側（脚片１３側）に端子ねじ２０が螺合するねじ孔１５が形成されるとともに、長手方向における他端側（脚片１４側）に後述の軸部２６が挿通される挿通孔１６が貫設されている。また、一方の脚片１３の下端部には左右両側部から下向きに２個の位置決め突起１７が突設されている。また、他方の脚片１４には下端側に開放された２条のスリット１８が中央片１２との連結部位まで並行に形成されており、この脚片１４は３本に分かれている（図７及び図８参照）。
【００１７】
また、座金部材２２は、矩形板状であって短幅方向の寸法が端子板１１の中央片１２の幅寸法と略同じ寸法に形成され、中央に端子ねじ２０が遊嵌される貫通孔２４が貫設された矩形板状の座金部２３と、この座金部２３の長手方向の一端部から上側に突出する逆Ｕ字状の連結部２５と、連結部２５の他端部から下向きに延出する棒状の軸部２６とを一体に形成して構成されている。そして、座金部材２２の座金部２３には長手方向に沿う左右の両側縁の中央部に、後述のガイド溝３６と係合するガイド突起２７が突設されている（図６及び図７参照）。
【００１８】
そして、この端子板１１は、図２及び図７に示すように、回路基板１０に貫設された３個の透孔１０ａに脚片１４の３本の先部を挿通するとともに、回路基板１０に貫設された２個の透孔１０ｂに脚片１３の２個の位置決め突起１７を挿通した状態で回路基板１０に半田付けされており、回路基板１０は端子板１１が実装された面を上側（カバー３側）にしてボディ２の開口部に配置される。
【００１９】
一方、カバー３の上側壁３ａには、端子板１１に螺合する端子ねじ２０に対向する部位に上側壁３ａを厚み方向に貫通する工具挿通孔３１が複数（前側部に４個、後側部に３個）形成されており、上側壁３ａの前後の側縁からそれぞれ下側に突設された横壁３ｂ，３ｃには、端子板１１の中央片１２の上面を外部に臨ませるように横壁３ｂ，３ｃを前後方向に貫通する角孔状の窓孔３２が複数（前側の横壁３ｂに４個、後側の横壁３ｃに３個）形成されている。またカバー３の上側壁３ａの裏側面からは、回路基板１０に実装された複数個の端子板１１が横壁３ｂ，３ｃとの間に介装されるようにして、横壁３ｂ，３ｃと並行する隔壁３３ａ，３３ｂが突設され、さらに各端子板１１の左右の側縁に沿って、横壁３ｂ，３ｃと隔壁３３ａ，３３ｂとの間をそれぞれ連結する複数の横壁３４がカバー３と一体に形成してある。ここで、各々の端子板１１の左右両側に配置される２つの横壁３４，３４の間隔は、端子板１１および座金部２３の幅寸法よりも若干広い間隔で配置されており、横壁３４，３４の対向面には座金部２３の左右の側縁に突設されたガイド突起２７と係合するガイド溝３６が、横壁３４の下側縁から上下方向の略中間部まで座金部２３の移動方向（上下方向）に沿って形成されている。
【００２０】
而して横壁３ｂと隔壁３３ａと横壁３４，３４とで囲まれる４個の端子収納室３５がカバー３の前側部に形成されるとともに、横壁３ｃと隔壁３３ｂと横壁３４，３４とで囲まれる３個の端子収納室３５がカバー３の後側部に形成されており、各端子収納室３５は工具挿入孔３１および窓孔３２を通して外部に連通している。そして、各々の端子収納室３５には、回路基板１０に実装された端子板１１と端子ねじ２０とコイルばね２１と座金部材２２とが１個ずつ収納されるようになっている。なお本実施形態ではカバー３の前側部に端子収納室３５を４個設けているが、回路基板１０の前側部には端子板１１が２つしか実装されていないので、右側の２つの端子収納室３５は使用しておらず、端子装置をあと２組増設することが可能である。
【００２１】
またボディ２の底壁２ａの下側面には、前後方向の中間部に左右両端が開放されたレール溝３７が凹設されている。このレール溝３７は、断面コ字状であって両側片の先端部からそれぞれ外向きに係止片が延出された所謂ＤＩＮレール（図示せず）に取り付けるためのもので、レール溝３７の一方（後側）の端面には左右方向の両端部及び中央部にＤＩＮレールの係止片とそれぞれ係止する係止爪３８が突設されている。またレール溝３７の他方（前側）の端面には、左右両側に一端側がレール溝３７に連通するとともに他端側が前面側に開放された取付溝３９，３９が形成されており、各取付溝３９にはＤＩＮレールの係止片と係止離脱自在に係止するロック部材５０がそれぞれ前後方向にスライド移動自在に取り付けられている。
【００２２】
このロック部材５０は合成樹脂成形体からなり、扁平な直方体状の主部５１と、主部５１の後端部（レール溝３７側）から左右両側にそれぞれ突出する可撓性を有するバネ板部５２，５２と、主部５１の後端部から後方に突出する係止爪５３とを一体に形成してあり、主部５１下面の前端側の左右の角にはガイド溝５４，５４が凹設されている。またバネ板部５２，５２の先端部の上側部からは、それぞれ、左右両側に突出する係止片５５，５５が突設されている。一方、ボディ２には、取付溝３９のレール溝３７側（後側）の端部に取付溝３９よりも幅広の凹部４０が形成されるとともに、この凹部４０の左右両端面には、レール溝３７側に開放されて、ロック部材５０のバネ板部５２，５２に設けた係止片５５，５５がそれぞれ係入する係止溝４３，４３が前後方向の略中間部まで形成されている。また、ボディ２には、取付溝３９内に取り付けられた主部５１の上側面に設けた係合穴（図示せず）と係合してロック部材５０の抜け止めを行う係合突起４１が突設されており、さらに取付溝３９の前端部の左右両端面には、ロック部材５０のガイド溝５４，５４とそれぞれ係合するガイド突起４２，４２が突設されている。
【００２３】
次に本実施形態の伝送ユニットＡの組み立てについて説明する。先ず回路基板１０に伝送ユニットＡの各機能を実現するための回路部品を実装するとともに、回路基板１０の上側面に端子板１１を実装する。ここで回路基板１０の前側縁の左端部には２個の端子板１１が左右に並べて実装され、後側縁の右端部には３個の端子板１１が左右に並べて実装されている。そして、座金部材２２の座金部２３に貫設した貫通孔２４内に端子ねじ２０を上側から挿通して、端子ねじ２０の軸部に形成したねじ部と頭部との間に座金部２３を挟持することで、端子ねじ２０を座金部２３に遊嵌させた後に、軸部２６にコイルばね２１を挿通した状態で、軸部２６の先部を端子板１１の挿通孔１６に上側から挿通すると、軸部２６が挿通孔１６と係合することによって座金部材２２が端子板１１に対して上下方向に移動自在に取り付けられ、座金部材２２はコイルばね２０のばね力によって上向きに付勢されている。このように端子ねじ２０とコイルばね２１と座金部材２２とを回路基板１０に実装された端子板１１に取り付けた後に、この回路基板１０をボディ２の開口縁に設けた段部上に載置すると、回路基板１０によってボディ２の開口が閉塞され（図７参照）、その後ボディ２の上側からカバー３を被せて、ボディ２とカバー３とを固定ねじ６，６によりねじ結合することにより、伝送ユニットＡの組立が完了する（図３参照）。
【００２４】
この組立完了状態においては、図５及び図６に示すように、端子板１１と、この端子板１１に取着される端子ねじ２０とコイルばね２１と座金部材２２とは、それぞれ個別の端子収納室３５内に収納されており、座金部材２２の座金部２３に設けたガイド突起２７，２７が、カバー３の横壁３４，３４の対向面に設けたガイド溝３６，３６と係合することによって、座金部材２２がガイド溝３６によってガイドされながら、上下方向において移動自在となっている。そして、端子ねじ２０が端子板１１のねじ孔１５に螺合していない状態では、座金部材２２はコイルばね２１の弾発力を連結部２５で受けて、ガイド突起２７がガイド溝３６の上端に当接するまで上側に移動しており、座金部材２２の座金部２３と端子板１１の中央片１２との間に隙間が空いている（図５、図６及び図８（ａ））。
【００２５】
この状態でカバー３の横壁３ｂ，３ｃに開口した窓孔３２から座金部材２２の座金部２３と端子板１１の中央片１２との間に、電線に取り付けられた丸型の圧着端子などからなる被接続導体を挿入した後、カバー３の上側壁３ａに開口する工具挿通孔３１からプラスドライバを挿入し、プラスドライバの先部で端子ねじ２０をコイルばね２１のばね力に抗して端子板１１側に押し付け、端子ねじ２０を端子板１１の中央片１２に設けたねじ孔１５に螺入すると、座金部２３がガイド溝３６にガイドされながら下側へ移動し、座金部２３と端子板１１の中央片１２との間で被接続導体が挟持されて、この被接続導体が端子板１１に電気的且つ機械的に接続されるのである（図８（ｂ）参照）。
【００２６】
一方、図８（ｂ）に示すように端子ねじ２０を端子板１１のねじ孔１５に螺合した状態で、カバー３の上側壁３ａに開口する工具挿通孔３１からプラスドライバを挿入し、このプラスドライバで端子ねじ２０を緩めて、端子ねじ２０を端子板１１のねじ孔１５から外すと、コイルばね２１の弾発力を連結部２５で受けて、座金部材２２の座金部２３がガイド溝３６にガイドされながら上側に移動する。
【００２７】
このように、端子ねじ２０を端子板１１のねじ孔１５から外すと、コイルばね２１の弾発力により座金部材２２を上側に移動させて座金部２３を浮き上がらせることができ、座金部２３と端子板１１の中央片１２との間に大きな隙間が空くので、座金部２３と中央片１２との間の隙間に被接続導体を挿入する作業を容易に行うことができ、また丸型の圧着端子でも容易に接続することができる。しかもコイルばね２１が挿通された軸部２６を端子板１１の挿通孔１６に挿入するだけで端子装置の組立が行えるから、端子装置の組立作業を容易に行うことができる。
【００２８】
ここで座金部２３は、左右両側に設けたガイド突起２７，２７（係合部）が、座金部２３の左右両側に配置される横壁３４，３４のガイド溝３６，３６（被係合部）にガイドされながら上側へ移動するので、座金部２３を傾き無く平行に移動させることができる。またガイド溝３６は、座金部２３の移動方向に沿って座金部２３の移動方向の端まで形成されており、ガイド突起２７がガイド溝３６の上端に当接することで、座金部２３（すなわち座金部材２２）がそれ以上上側に移動するのを規制することができ、その結果座金部２３の移動範囲が、軸部２６が端子板１１の挿通孔１６から抜けない範囲に規制されるので、軸部２６が挿通孔１６から抜けて座金部材２２が脱落するのを防止できる。またカバー３の上側壁３ａにより、端子装置の上側を覆って感電などの事故を防止する端子カバーが構成されており、端子カバーを器体１と一体化しているので、端子カバーが別体に形成されている場合に比べて、端子カバーを着脱する手間が不要になり、また端子カバーを紛失する虞もない。
【００２９】
またこの伝送ユニットＡの器体１にロック部材５０を取り付ける際には、ロック部材５０をガイド溝５４，５４が形成された面を下向きにしてボディ２の底部に設けたレール溝３７内に挿入した後、ロック部材５０の主部５１を、ガイド溝５４，５４が形成された側の端部から取付溝３９内に挿入すると、ガイド溝５４，５４が取付溝３９の前端側に設けたガイド突起４２，４２と係合することで主部５１がガイド突起４２，４２と取付溝３９の底部との間に保持され、さらにバネ板部５２，５２の係止片５５，５５が係止溝４３，４３内に係入するとともに、取付溝３９の底に設けた係合突起４１が主部５１の上側面に設けた係合穴と係合することで主部５１が前後方向において位置決めされる。なお取付状態においてはバネ板部５２，５２と凹部４０の前端部との間に隙間が形成されている。
【００３０】
ここで、ロック部材５０を器体１に取り付けた状態では、主部５１の後端部に設けた係止爪５３がレール溝３７内に突出しており、この状態でボディ２の側壁から外側に突出する主部５１の先部を外側（前側）に引っ張ると、バネ板部５２の先端側に設けた係止片５５が係止溝４３と係止しているので、バネ板部５２，５２が撓むことによって主部５１が前方へ移動し、主部５１の係止爪５３がレール溝３７の外側（凹部４０内）に退避する。その後主部５１を外側に引っ張る力を無くすと、バネ板部５２，５２の弾性復帰力によって主部５１が復帰位置まで移動し、主部５１の係止爪５３がレール溝３７内に突出するのである。
【００３１】
而して器体１をＤＩＮレールに取り付ける際には、器体１の前側部が上向きになるように器体１を傾けた状態で、ＤＩＮレールの後側の係止片にレール溝３７の後端面に設けた係止爪３８を引掛係止させた後、器体１の前側部を下側（ＤＩＮレール側）に押し込むと、ＤＩＮレールの前側の係止片が係止爪５３の下側面に形成された傾斜面と当接して、主部５１を前側に押圧する力が発生し、この力を受けてバネ板部５２，５２が撓み、係止爪５３がレール溝３７の外側に退避する。そして器体１の前側部を下側にさらに押し込むと、ＤＩＮレールの前側の係止片が係止爪５３を乗り越えて、係止爪５３と係止することで、器体１がＤＩＮレールに保持されるのである。一方、器体１をＤＩＮレールから取り外す際には、器体１の側壁から外側に突出する主部５１の先部を外側に引っ張ると、バネ板部５２，５２が撓んで、係止爪５３がレール溝３７の外側に退避することで、ＤＩＮレールの前側の係止片と係止爪５３との係止状態が外れるから、器体１をＤＩＮレールから容易に取り外すことができる。
【００３２】
上述のように伝送ユニットＡの器体１はロック部材５０を用いてＤＩＮレールやＪＩＳ協約形の盤用連接取付板に取り付けることができるようになっており、ＤＩＮレールや連接用取付板への取り付けを容易に行えるようになっている。また樹脂成形体からなるロック部材５０と一体に形成されたバネ板部５５によりロック部材５０に復帰力を与えているので、ロック部材５０とは別体のばねにより復帰力を与える場合に比べて部品数を少なくでき、また組立性を向上させることもできる。
【００３３】
なお本実施形態では端子装置を遠隔監視制御システムの伝送ユニットに適用した実施形態を例に説明を行ったが、端子装置を適用する電気機器を遠隔監視制御システムの伝送ユニットに限定する趣旨のものではなく、伝送ユニット以外の制御ユニットや監視ユニットなどの端末装置、あるいは遠隔監視制御システム以外の電気機器に適用しても良いことは言うまでもない。
【図面の簡単な説明】
【００３４】
【図１】本実施形態を適用した伝送ユニットの上側から見た分解斜視図である。
【図２】同上の下側から見た分解斜視図である。
【図３】同上の外観斜視図である。
【図４】同上の要部拡大斜視図である。
【図５】同上の断面図である。
【図６】同上の要部を拡大して破断した斜視図である。
【図７】同上のカバーを外した状態の外観斜視図である。
【図８】（ａ）（ｂ）は同上のカバーを外した状態の要部拡大斜視図である。
【図９】同上を示し、（ａ）は下側から見た外観斜視図、（ｂ）はＣ部拡大図である。
【図１０】従来の端子装置を用いた電気機器を示し、（ａ）は正面図、（ｂ）は一部破断せる側面図である。
【符号の説明】
【００３５】
１    器体
２    ボディ
３    カバー
１１  端子板
１２  中央片
１５  ねじ孔
１６  挿通孔
２０  端子ねじ
２１  コイルばね
２２  座金部材
２３  座金部
２６  軸部
２７  ガイド突起
【図１】
2005243311.tif 000003
【図２】
2005243311.tif 000004
【図３】
2005243311.tif 000005
【図４】
2005243311.tif 000006
【図５】
2005243311.tif 000007
【図６】
2005243311.tif 000008
【図７】
2005243311.tif 000009
【図８】
2005243311.tif 000010
【図９】
2005243311.tif 000011
【図１０】
2005243311.tif 000012